(57)【要約】【課題】  軒先が軒樋で隠れるように取り付けて意匠的に優れ、多様な屋根勾配であっても軒樋を水平に維持することができる軒樋内吊金具装置を提供する。。【解決手段】  軒樋内吊金具装置１００は、軒樋Ｂの前後端の耳部３５を内側から係止する内吊金具本体３と、前記内吊金具本体３を建物の壁面Ａに固定支持するための支持機構７とを備え、支持機構７は、建物の壁面３に固定される固定部１と、前記固定部１から前方に突出して前記内吊金具本体３を支持する支持アーム２と、前記支持アーム２の中央から前端にかけて前記内吊金具本体３を下側から抱え込むようにして前後方向に出入り自在に保持する断面コ字形のブラケット４と、前記内吊金具本体３を前後方向に出入り自在に移動させる移動機構８と、固定部に対する支持アームの張り出し角度を調整する調整機構９と、前記移動機構による移動を阻止するロック機構５とが設けられている。【選択図】図１
2010150837.tif 000002
【特許請求の範囲】
【請求項１】
軒樋の前後端の耳部を内側から係止する内吊金具本体と、前記内吊金具本体を建物の壁面に固定支持するための支持機構とを備え、
前記支持機構は、建物の壁面に固定される固定部と、前記固定部から前方に突出して前記内吊金具本体を支持する支持アームと、前記支持アームの中央から前端にかけて前記内吊金具本体を下側から抱え込むようにして前後方向に出入り自在に保持する断面コ字形のブラケットと、前記内吊金具本体を前後方向に出入り自在に移動させる移動機構と、前記移動機構による移動を阻止するロック機構とが設けられ、
前記移動機構は、前記内吊金具本体の前後方向に形成されたラックと、前記ラックに噛合するように前記ブラケットの前後方向に間隔をおいて配置され、前記ブラケットに回転自在に軸支された複数のピニオンギヤとから構成され、
前記ロック機構は、前記複数のピニオンギヤのうち、少なくともいずれかのピニオンギヤの軸部に押し付けて摩擦力により前記軸部の回転を阻止し、かつ、前記軸部への押し付ける力の解除により前記軸部の回転を許容するロック部が設けられたことを特徴とする軒樋内吊金具装置。
【請求項２】
支持機構は、固定部に対する支持アームの張り出し角度を調整する調整機構を有し、
前記調整機構は、前記固定部に形成された断面Ｃ字形の軸受け部と、前記支持アームの後端に形成され前記軸受け部に回転自在に嵌合する回転軸部と、前記支持アームを任意の張り出し角度で前記回転軸部を前記軸受け部に固定する固定手段とを備えたことを特徴とする請求項１に記載の軒樋内吊金具装置。
【請求項３】
ロック機構は、前側ピニオンギヤの軸部に連結された第１リンクと、後側ピニオンギヤの軸部に連結された第２リンクと、両リンクの内端部を回転自在に連結する連結軸と、前記両リンクを軸部周りの回転操作する操作部とを備え、
前記両リンクを前記軸部周りに回転させ、前記リンクと前記軸部とがそれぞれ連結した軸部嵌合部間の距離を調整することにより、前記軸部嵌合部であるロック部と前記軸部との摩擦力により、少なくとも片側の軸部の回転を阻止することを特徴とする請求項１または２に記載の軒樋内吊金具装置。
【請求項４】
ロック機構は、ブラケットに回転自在に支持された回転板と、前記回転板を回転操作するように前記回転板に形成された操作部と、前記回転板のピニオンギヤの軸部側への回転により前記軸部に押し付けられて係合する切欠部とを備え、
前記回転板を回転させて前記切欠部を前記軸部に当接させることにより、前記切欠部であるロック部と前記軸部との摩擦力により、少なくとも片側の軸部の回転を阻止することを特徴とする請求項１または２に記載の軒樋内吊金具装置。
【請求項５】
ピニオンギヤの軸部が、ブラケットの側面から外側に突出され、
突出された軸部に前記ロック部が押し付け・解除自在に配置されたことを特徴とする請求項３または４に記載の軒樋内吊金具装置。
【請求項６】
軒樋内吊金具装置を構成するすべての部材が、同一の材料から形成されたことを特徴とする請求項１〜５のいずれかに記載の軒樋内吊金具装置。
【発明の詳細な説明】
【技術分野】
【０００１】
本発明は、軒先が軒樋で隠れるように取り付けて意匠的に優れた軒樋内吊金具装置に関する。
【背景技術】
【０００２】
従来、軒樋内吊金具装置を固定する壁面から軒先までの距離は、家屋によって異なる。そのため、吊設した軒樋で確実に軒先を隠すように配置するためには、壁面から軒先までの距離に応じて複数の軒樋内吊金具装置を用意する必要があった。
【０００３】
特許文献１では、吊り具本体の横面と固定具の支持腕の横面とを当接し、横棒を長孔に挿入し、横棒の先端の係止片を長孔の側縁に係止させて、吊り具本体を支持腕に沿って移動可能に取り付け、吊り具本体か支持腕のどちらか一方の上面に設けられたラックと、他方に取り付けられたピニオンとを噛み合わせ、ピニオンを適宜位置に固定するストッパを設け、前記吊り具本体を前後方向に出入り自在に移動させて、任意の位置で固定するようにした軒樋内吊金具装置が開示されている。
【０００４】
また、家屋の軒先に軒樋を吊設する軒樋内吊金具装置は、傾斜勾配に応じて複数用意するか、あるいは、作業者が、現場で、傾斜勾配に応じた角度に軒樋内吊金具装置を折り曲げるといった加工作業を施す必要があった。
【０００５】
特許文献２では、吊り具本体と、前記吊り具本体を軒先に固定する固定部材とからなり、前記吊り具本体の後面側の上部と前記固定部材の前面側の上部とを軸着し、且つ、吊り具本体の後面側の下部を固定部材の前面側の下部に形成した複数の係止個所を備えた係止部に係着し、軒先勾配に応じて角度調整をするようにした軒樋内吊金具装置が開示されている。
【特許文献１】特開平０８−１６５７６６号公報
【特許文献２】特開平０９−１４４２４９号公報
【発明の開示】
【発明が解決しようとする課題】
【０００６】
ところで、特許文献１では、一つのピニオンギヤで移動可能に軒樋を支持しているため、それを確実に移動させるために長穴や他のガイドが必要となり、部材点数や加工数が多くなる問題がある。
【０００７】
また、特許文献２では、係止部の角度で取り付け角度が決められてしまうため、特定角度の屋根勾配にしか対応できない問題がある。仮に、係止部の数を増やして対応可能な角度を多くしたとしても、樋吊り具自体が大きくなってしまうので、現場での作業性に問題がある。
【０００８】
本発明は、上記問題に鑑み、軒先が軒樋で隠れるように取り付けて意匠的に優れた軒樋内吊金具装置の提供を目的とする。さらに加えて、本発明は、多様な屋根勾配であっても軒樋を水平に維持することができる。
【課題を解決するための手段】
【０００９】
上記目的を達成するために、本発明では、軒樋の前後端の耳部を内側から係止する内吊金具本体と、前記内吊金具本体を建物の壁面に固定支持するための支持機構とを備え、前記支持機構は、建物の壁面に固定される固定部と、前記固定部から前方に突出して前記内吊金具本体を支持する支持アームと、前記支持アームの中央から前端にかけて前記内吊金具本体を下側から抱え込むようにして前後方向に出入り自在に保持する断面コ字形のブラケットと、前記内吊金具本体を前後方向に出入り自在に移動させる移動機構と、前記移動機構による移動を阻止するロック機構とが設けられ、前記移動機構は、前記内吊金具本体の前後方向に形成されたラックと、前記ラックに噛合するように前記ブラケットの前後方向に間隔をおいて配置され、前記ブラケットに回転自在に軸支された複数のピニオンギヤとから構成され、前記ロック機構は、前記複数のピニオンギヤのうち、少なくともいずれかのピニオンギヤの軸部に押し付けて摩擦力により前記軸部の回転を阻止し、かつ、前記軸部への押し付ける力の解除により前記軸部の回転を許容するロック部が設けられたことを特徴とする。
【００１０】
上記構成によると、内吊金具本体は、ブラケットに抱き込むように支持されているため、内吊金具本体をスライドする際に、左右方向に振れることなく、前後方向にスムーズにスライドすることができる。また、内吊金具本体は、下側のブラケットと上側の前後のピニオンギヤとで挟み込んで支持されるため、ピニオンギヤからの駆動力が確実に伝達される。
【００１１】
内吊金具本体は、前記内吊金具本体の前後方向に形成されたラックと、前記ラックに噛合するように前記ブラケットの前後方向に間隔をおいて配置され、前記ブラケットに回転自在に軸支された複数のピニオンギヤとから構成されたピニオンラック機構によって、壁面に対して前後方向に移動可能とされる。すなわち、内吊金具本体を前後方向に移動させることで、内吊金具本体に吊り下げられる軒樋が軒先の方に移動することができ、延いては軒樋を軒先が隠れる位置に移動することができる。これにより、多様な壁面から軒先までの距離に対しても、同一の構成部材で容易に軒先を軒樋で隠すことができる。
【００１２】
ここで、壁面とは、建物の壁あるいは屋根といった建物の外郭を構成する部材の表面である。
【００１３】
ロック機構のロック部がピニオンギヤの回転を阻止することで、内吊金具本体が移動しないようにする。具体的な構成としては、ブラケットに対して回転自在に支持されるピニオンギヤの軸部に対して、ロック部が押圧力をかける。これにより、ロック部と軸部との摩擦力により軸部の回転を規制し、内吊金具本体の移動、延いては軒樋の移動を規制する。
【００１４】
これにより、ロック機構は、内吊金具本体の移動を固定するときに、内吊金具本体自体をブラケットにネジ止めするよりも容易にロック操作が可能となり、作業性が向上する。
【００１５】
ロック機構の具体的な構成としては、リンク式や回転式のトグルロック機構が挙げられる。リンク式の場合、ロック機構は、前側ピニオンギヤの軸部に連結された第１リンクと、後側ピニオンギヤの軸部に連結された第２リンクと、両リンクの内端部を回転自在に連結する連結軸と、前記両リンクを軸部周りの回転操作する操作部とを備える。前記両リンクを前記軸部周りに回転させ、前記リンクと前記軸部とがそれぞれ連結した軸部嵌合部間の距離を調整することにより、前記軸部嵌合部であるロック部と前記軸部との摩擦力により、少なくとも片側の軸部の回転を阻止する。
【００１６】
回転式の場合、ロック機構は、ブラケットに回転自在に支持された回転板と、前記回転板を回転操作するように前記回転板に形成された操作部と、前記回転板のピニオンギヤの軸部側への回転により前記軸部に押し付けられて係合する切欠部とを備える。前記回転板を回転させて前記切欠部を前記軸部に当接させることにより、前記切欠部であるロック部と前記軸部との摩擦力により、少なくとも片側の軸部の回転を阻止する。
【００１７】
上記構成によると、作業者が、操作部を操作することで、内吊金具本体の移動をロックすることができる。すなわち、工具やビス等を使用せずに、内吊金具本体、延いては、軒樋を所望する位置に固定することができる。また、ロック機構は、ブラケットに備えつけられるため、紛失することを防止できる。
【００１８】
ピニオンギヤの軸部が、ブラケットの側面から外側に突出され、突出された軸部に前記ロック部が押し付け・解除自在に配置される。この構成によると、例えば、軒樋を取り付けた後であっても、軒樋が邪魔とならずに操作することができる。すなわち、作業が容易になる。
【００１９】
次に、支持機構は、固定部に対する支持アームの張り出し角度を調整する調整機構が設けられる。この調整機構は、前記固定部に形成された断面Ｃ字形の軸受け部と、前記支持アームの後端に形成され前記軸受け部に回転自在に嵌合する回転軸部と、前記支持アームを任意の張り出し角度で前記回転軸部を前記軸受け部に固定する固定手段とを備える。
【００２０】
支持アームは、その後端に形成された回転軸部が前記軸受け部に回転自在に嵌合させることで、支持アームの張り出し角度を調整する。固定手段は、所望する張り出し角度に調整されたときに、軸受け部に対して回転軸部が回転しないように固定する。内吊金具本体は、ブラケットに抱き込まれるようにして支持アームに取り付けられる。
【００２１】
上記構成によると、軒樋は、支持アームの回転軸部を回転させることで水平に維持される。すなわち、固定部に対して吊り金具を回転させることで、内吊金具本体に吊り下げられる軒樋が水平に維持できる。これにより、多様な屋根勾配に対しても、同一の構成部材で容易に軒樋を水平にさせることができる。
【００２２】
なお、固定手段としては、軸受け部と回転軸部とをネジで共締めする、軸受け部と回転軸部を溶接する手段、あるいは、軸受け部と回転軸部を接着するといった手段が挙げられる。
【００２３】
軒樋内吊金具装置を構成するすべての部材が、同一の材料から形成されたことを特徴とする。この構成によると、主要部分すべてを同一の部材で形成される。例えば、アルミ押出し成型品を使用することで、軽量でかつ高強度に形成することができる。また、固定手段としてアルミのネジやボルト類を使用することで、異種金属が接触したときの電食腐食を防止することができる。さらに、すべての部材をアルミで構成した場合は、リサイクル性能も非常に高い。
【発明の効果】
【００２４】
本発明によると、内吊金具本体を前後方向に移動させることで、多様な壁面から軒先までの距離に対しても、軒樋で軒先を隠せる位置に配置させることができる。また、支持アーム後端の回転軸部が軸受け部に対して回転可能に組みつけられるので、傾斜勾配に応じて支持アームの張り出し角度を調整することで、軒樋を水平に維持することができる。
【００２５】
これにより、複数種の軒樋内吊金具装置を用意することなく、一つの軒樋内吊金具装置で多種多様な家屋に対して軒樋を所望する位置で水平に取り付けることができる。
【発明を実施するための最良の形態】
【００２６】
〔第１実施形態〕
本発明の第１実施形態の軒樋内吊金具装置１００は、異種金属同士による電位差により発生する電食を防止するために、これを構成するすべての部材が同一の部材で形成される。本実施形態では、部材の一例として、アルミの押し出し成型品によって形成された場合で説明する。
【００２７】
以下に、第１実施形態の軒樋内吊金具装置１００の具体的な構成を詳細に説明する。なお、説明の便宜上、壁面Ａから離れる方向を前方向とし、壁面Ａに近づく方向を後方向とする。
【００２８】
軒樋内吊金具装置１００は、屋根の軒先を極力隠れるようにして軒樋Ｂが建物の意匠となるように、軒樋内吊金具装置１００自体の高さを低くなるように形成される。軒樋内吊金具装置１００は、図１および図２に示すように、軒樋Ｂの前後端の耳部３５を内側から係止する内吊金具本体３と、前記内吊金具本体３を建物の壁面Ａに固定支持するための支持機構７とを備える。
【００２９】
支持機構７は、建物の壁面３に固定される固定部１と、前記固定部１から前方に突出して前記内吊金具本体３を支持する支持アーム２と、前記支持アーム２の中央から前端にかけて前記内吊金具本体３を下側から抱え込むようにして前後方向に出入り自在に保持する断面コ字形のブラケット４と、前記内吊金具本体３を前後方向に出入り自在に移動させる移動機構８と、固定部に対する支持アーム２の張り出し角度を調整する調整機構９と、前記移動機構８による移動を阻止するロック機構５とが設けられる。
【００３０】
固定部１は、アンカ等によって壁面Ａに取り付けられる平板状の基台１１と、後述する支持アーム２の後端に形成された回転軸部２１を回転自在に把持する軸受け部１２とを有する。基台１１と軸受け部１２は一体的に形成される。
【００３１】
基台１１は、壁面Ａに向かって左右方向に長い平板形状とされ、その左右両端近傍にアンカが挿通するための貫通穴１４が複数形成される。
【００３２】
軸受け部１２は、図３に示すように、基台１１の上端側で前方向に突出した断面Ｃ字形に形成される。軸受け部１２の内周面には、後述する支持アーム２の回転軸部２１の外周面に形成された凹部２２と係合する２つの凸部１３が形成される。前記凸部１３は、内周面の上側と下側、具体的には、軸受け部１２の中心を通る水平線に対して上側壁面と下側壁面それぞれに形成される。
【００３３】
支持アーム２は、図４（ａ）に示すように、全体的に高さが低く形成される。詳しくは、軒樋内吊金具装置１００を設置したときに、支持アーム２と屋根が接触しないように、後端から前端にいくにつれて高さが低くなるくさび形で、支持アーム２の上面がゆるやかな湾曲状に形成される。
【００３４】
支持アーム２の前側下端と中央部分の下端には、ブラケット４を支持アーム２に取り付けるためのピン４３の挿通用の筒部２３が形成される。支持アーム２の後端には、軸受け部１２に回転自在に嵌合する円筒状の回転軸部２１が形成される。回転軸部２１は、軸方向が左右方向とされる。
【００３５】
回転軸部２１の外周面には、図４（ｂ）に示すように、軸受け部１２の内周面の凸部１３と係合する複数の凹部２２が形成される。凹部２２は、回転軸部２１の中心を通る水平線から上側と下側にそれぞれ形成される。具体的には、凹部２２は、中心を通る垂線から後方向と、中心を通る水平線から下方向それぞれが対となるように所定角度に形成される。いずれかの凹部２２と凸部１３とが係合することで、回転軸部２１の回転を規制することができる上、壁面固定部１に対する支持アーム２の張り出し角度を容易に所定角度に設定することができる。
【００３６】
回転軸部２１は、固定手段９１によって軸受け部１２に固定される。固定手段９１としては、例えば、アルミのネジ９１を保持部１２の上方および下方からねじ込み、回転軸部２１を固定する。
【００３７】
調整機構９は、固定部１の軸受け部１２と、支持アーム２の後端の回転軸部２１と、軸受け部１２と回転軸部２１とを固定する固定手段９１とから構成される。
【００３８】
内吊金具本体３は、前後方向に長い平板形状の前後両端に、軒樋Ｂの壁面に形成される断面コ字形の耳部３５を内側から係止して前記軒樋Ｂを吊設する軒樋吊り部３２，３３を備える。
【００３９】
内吊金具本体３は、その長さが、軒樋Ｂの前後幅と同等の長さとされ、その上面側の前端から後端にかけてラック３４が形成される。
【００４０】
軒樋吊り部３２，３３は、内吊金具本体３の前後両端からそれぞれ立ち上がって形成される。各軒樋吊り部３２，３３は、耳部３５に係合して、軒樋Ｂを内側から吊設するように、その中央部分が内吊金具本体３の外側に膨らむように屈曲し、その上端が内吊金具本体３の中央に向かって折れ曲がって形成される。
【００４１】
なお、軒樋吊り部３２，３３の形状はこの限りではなく、軒樋Ｂの側面の耳部３５を内側から係止できる形状であれば良い。例えば、図５に示すように、軒樋Ｂ１が小さい場合は、屋根を流れる雨水を確実に軒樋に流れるようにするために、軒樋Ｂ１の前側の壁面が後側の壁面よりも高く形成される。そこで、前側の軒樋吊り部３２の方が後側の軒樋吊り部３３よりも高く形成される。
【００４２】
また、図６に示すように、軒樋Ｂ２が大きい場合は、軒樋Ｂ２の前側の壁面と後側の壁面とが同等の高さに形成される。そこで、前側の軒樋吊り部３２と後側の軒樋吊り部３３は同等の高さに形成される。
【００４３】
ブラケット４は、平板の左右両側に側壁が立ち上がった断面コ字形に形成される。ブラケット４は、その幅が、内吊金具本体３が左右に振れることなく、前後方向にスムーズにスライドできるように、内吊金具本体３の幅より若干広く形成される。ブラケット４は、側壁の上端側で支持アーム２を左右から挟み込むようにしてピン４３を介して組み付けられる。
【００４４】
ピン４３の一端側は、ピン４３が抜け落ちないようにするためにかしめられる。なお、ピン４３の他端側は、ブラケット４を取り付け後にかしめられる。
【００４５】
ブラケット４は、壁面Ａに対して前後方向に移動可能に内吊金具本体３を抱え込むように支持する。具体的には、ブラケット４は、下側の平板の上に内吊金具本体３を載せ、左右の側壁で挟むようにして支持する。
【００４６】
ブラケット４には、内吊金具本体３が前後方向に移動するように、ラック部３１のラック３４と噛み合う２つのピニオンギヤ４１，４４が前後に設けられる。
【００４７】
ピニオンギヤ４１，４４には、その中心に軸部であるシャフト４２，４５が圧入される。シャフト４２，４５は、ブラケット４に対して回転自在に支持され、両端がブラケット４の側面から外側に突出される。シャフト４２，４５の一端側は、シャフト４２，４５が抜け落ちないようにするためにかしめられる。なお、シャフト４２，４５の他端側は、ピニオンギヤ４２を取り付け後にかしめられる。
【００４８】
シャフト４２，４５の表面には、図７および図８に示すように、シャフト４２，４５が空回りしないようにするために、ピニオンギヤ４１，４４の内周面に形成される凸部４６と噛み合う凹部４７が複数形成される。凹部４７は、シャフト４２，４５の中心線の延長線上にそれぞれが位置するように形成される。
【００４９】
なお、本実施形態では、シャフト４２，４５の表面に形成された凹部４７は４つとしているが、特にこの限りではなく、１つでも良い。すなわち、シャフト４２，４５の凹部４７とピニオンギヤ４１，４４の凸部４６とが噛み合い、ピニオンギヤ４１，４４が空回りしないようにできる構成であればよい。
【００５０】
移動機構８は、内吊金具本体３に形成されたラック３４と、ブラケット４に軸支されるピニオンギヤ４２，４４とから構成される。
【００５１】
ブラケット４には、所定の位置で前記内吊金具本体３を固定するロック機構５がブラケット４の側壁の外側側面に備えられる。ロック機構５は、アーム状の２本のリンク５１，５２を有するトグルロック機構とされる。ここで、トグルとは、くの字に曲がった２本のリンク５１，５２をくの字の頂点から垂直方向に押すと、くの字が伸びていく機構である。
【００５２】
具体的な構成として、ロック機構５は、前側に位置する前側ピニオンギヤ４１のシャフト４２に取り付けられる第１リンク５１と、後側に位置する後側ピニオンギヤ４４のシャフト４５に取り付けられる第２リンク５２と、両リンク５１，５２の内端部を回転自在に連結する連結軸５６と、前記両リンクを軸部周りの回転操作する操作部５３とを備える。
【００５３】
第１リンク５１は、前側端に前後方向に長い長穴５４が形成される。前記長穴５４にシャフト４２が嵌合される。第２リンク５２は、後側端に貫通穴５５が形成される。前記貫通穴５５にシャフト４５が嵌合される。
【００５４】
操作部５３は、連結軸５６の上側に備えられる。操作部５３は、第１リンク５１の後側端の上辺から外側に突出した平板状に形成される。
【００５５】
操作部５３をくの字状の頂点から垂直方向に押下げすると、２本のリンク５１，５２は、くの字に曲がった状態から一直線状態になる。詳しくは、作業者が操作部５３を押下げ、連結軸５６が他の支点を結んだ直線、詳しくは、前側のシャフト４２と後側のシャフト４２の中心点を結んだ直線と同等もしくはそれより下側に位置すると、連結された２本のリンク５１，５２は、前後方向に突っ張り、前記シャフト４２を前後方向に押圧力をかける。これにより、シャフト４２は第１リンク５１との摩擦力によって回転が規制される。すなわち、前側ピニオンギヤ４１の回転が規制されるので、内吊金具本体３の前後方向の移動が規制できる。
【００５６】
操作部５３を一直線状態の下死点から垂直方向に押上げすると、２本のリンク５１，５２は、一直線状態からくの字に曲がった状態になる。詳しくは、作業者が操作部５３を押上げ、連結軸５６が前記直線より上側に位置すると、くの字の角度が大きくなり、シャフト４２への押圧力がなくなる。これにより、シャフト４２は回転が可能となる。すなわち、前側ピニオンギヤ４１の回転が可能なので、内吊金具本体３の前後方向の移動が許可される。
【００５７】
次に、図６（ａ）および（ｂ）を用いて、軒樋内吊金具装置１００の取り付け動作、および、内吊金具本体４の移動機構８の動作を説明する。なお、説明の便宜上、ロック機構５は、２本のアーム５１，５２を有するトグルロック機構とされ、軒樋Ｂ２が大きい場合で説明する。
【００５８】
軒樋内吊金具装置１００は、工場出荷時において、支持アーム２と内吊金具本体３とブラケット４とロック機構５とを取り付けた状態で出荷する。このとき、ロック機構５は、内吊金具本体３が移動しないようにロックをかけた状態とする。作業者は、取り付けする場所で固定部１に支持アーム２を組み付ける。
【００５９】
作業者は、軒先の壁面Ａに固定部１をビスを打ちつけて固定する。次に、支持アーム２を壁面Ａに取り付けた固定部１の軸受け部１２に取り付ける。このとき、支持アーム２の下面が水平となるように、壁面Ａの傾斜角度に応じて支持アーム２の取り付け角度を調整する。
【００６０】
例えば、図６（ａ）に示すように、壁面Ａが傾斜している場合、軸受け部１２に対して回転軸部２１を回転させ、内吊金具本体３が水平となる位置に合わせる。また、図６（ｂ）に示すように、壁面Ａが傾斜していない場合、固定部１に対して支持アーム２が直交する位置に合わせる。
【００６１】
このとき、軸受け部１２の内周面の凸部１３と支持アーム２の回転軸部２１の外周面の凹部２２とを係合させ、支持アーム２が自重で回転するのを防止する。また、凹部２２が決められた角度に形成されるため、所望する角度に形成された凹部２２に凸部１３を係合させることで、容易に角度を調整できる。
【００６２】
支持アーム２の取り付け角度が決定したら、作業者は、アルミのネジ９１を保持部１２の上方および下方からねじ込み、支持アーム２の回転を規制する。
【００６３】
次に、作業者は、内吊金具本体３に軒樋Ｂ２を取り付ける。作業者は、軒樋吊り部３２，３３を軒樋Ｂ２の耳部３５内をスライドさせて、軒樋吊り部３２，３３が耳部３５を係止するように、軒樋Ｂ２を側方から内吊金具本体３に差し込む。
【００６４】
軒樋Ｂ２が内吊金具本体３に取り付けられると、作業者は、ロック機構５のロックを解除する。そして、内吊金具本体３に取り付けた軒樋Ｂ２によって軒先が隠れる位置に内吊金具本体３を移動させる。所定の位置に軒樋Ｂ２がセットできたときに、ロック機構５の操作部５３を押下げ、ロックをする。これにより、内吊金具本体３の移動が規制される。
【００６５】
これにより、内吊金具本体３が移動自在に支持されるので、多様な壁面Ａから軒先までの距離に対しても、軒樋Ｂを軒先に位置させることが容易にできる。
【００６６】
また、作業者は、軒先に軒樋Ｂを取り付ける際、支持アーム２が固定部１に対して回転可能に組みつけることができるので、傾斜勾配に応じて支持アーム２を固定部１に対して回転させて、軒樋Ｂを水平することが容易にできる。
【００６７】
また、ブラケット４と支持アーム２によって、移動機構８を覆うように組み付けられるので、移動機構８に落ち葉等が入り込みにくいようになっている。すなわち、ブラケット４と支持アーム２は、移動機構８のカバーの役割をする。
【００６８】
また、部材をアルミの押し出しによって形成するので、複雑な形状であっても容易に作成することができる。例えば、各部材に空洞部分等を設けて軽量化することができる。
〔第２実施形態〕
図９に、本発明の第２実施形態を示す。図９に示すように、この第２実施形態は、第１実施形態に係る軒樋内吊金具装置１の移動機構８による移動を阻止するロック機構６に関する手段が異なる。すなわち、第１実施形態では、リンク式のトグルロック機構５によって移動機構８の移動を阻止しているが、第２実施形態は、回転式のロック機構６によって移動機構８の移動を阻止している。
【００６９】
以下、第２実施形態について具体的に説明する。なお、第２実施形態において、第１実施形態と同一の機能部品については、同一の符号を付して、その説明を省略し、重要なロック機構６についてのみ記載する。
【００７０】
ロック機構６は、ブラケット４に回転可能に支持される回転板６１を回転させ、回転中心からの距離が異なる端部がシャフト４５に当たり、さらに回転板６１が回転することでシャフト４５に対して徐々に押圧力を加えていく。そして、回転板６１は、シャフト４５との摩擦力によって回転を規制するものである。
【００７１】
具体的な構成としては、回転板６１は、平板状とされ、ブラケット４を支持アーム２に取り付けるためのピン４３に軸支される。回転板６１は、その下方前側端に切欠部６５が形成される。切欠部６５は、その上辺と回転中心までの長さが、回転中心からシャフト４５までの長さよりも長くなるように形成される。
【００７２】
切欠部６５の前側端６３は、回転板６１を回転させたときに、シャフト４５との摩擦を少なくするように、面取りが施される。切欠部６５の後側端６４は、シャフト４５に当接することで、回転板６１が回転しすぎるのを防止するストッパとなる。
【００７３】
回転板６１には、その回転板６１を前後方向に回転させるための操作部６２が備えられる。操作部６２は、回転板６１の上辺から外側に突出した平板状に形成される。
【００７４】
作業者が操作部６２を押下げると、回転板６１が、その前側端がシャフト４５の表面に沿って回転する。そして、シャフト４５が切欠部６５の後側端６４に当接するまで回転板６１を回転させると、回転板６１がシャフト４５を下方向に押圧力をかける。これにより、シャフト４２は、切欠部６５の上辺との摩擦力によって回転が規制される。すなわち、ピニオンギヤ４４の回転が規制されるので、内吊金具本体３の移動が規制される。
【００７５】
作業者が操作部６２を押上げ、回転板６１を後方に回転させると、シャフト４５への押圧力がなくなる。これにより、シャフト４５は回転が可能となる。すなわち、ピニオンギヤ４４の回転が可能なので、内吊金具本体３の移動が許可される。
【００７６】
これにより、部材点数を少なくしてシャフト４５の回転、すなわち、移動機構８の移動を阻止することができる。
【００７７】
なお、本発明は、上記実施形態に限定されるものではなく、本発明の範囲内で上記実施形態に多くの修正および変更を加え得ることは勿論である。例えば、本実施形態では、取り付けする場所において、支持アームの取り付け角度を調整しているが、あらかじめ工場で所定角度に取り付けて出荷しても良い。この場合、アルミのリベットではなく溶接で支持アームと固定部とを固定することができる。すなわち、リベットで固定するよりもしっかり固定することができる。
【００７８】
本実施形態では、ブラケットを支持アームに取り付ける際にピンを用いているが、特にこの限りではなく、部材点数を少なくするために、ギヤに用いられるシャフトを用いても良い。
【００７９】
本実施形態では、アルミの押し出し成型品で軒樋内吊金具装置の部材を形成しているが特にこの限りではなく、その他の金属で形成しても良い。
【図面の簡単な説明】
【００８０】
【図１】本発明に係る第１実施形態の軒樋内吊金具装置の背面斜視図
【図２】軒樋内吊金具装置の正面斜視断面図
【図３】固定部の側面図
【図４】支持アームの側面図であって、（ａ）が全体図、（ｂ）が後端詳細図
【図５】小さい軒樋を備えた場合の軒樋内吊金具装置の側面図であって、（ａ）が傾斜のある壁面に取り付けた場合を示す図、（ｂ）が傾斜のない壁面に取り付けた場合を示す図
【図６】大きい軒樋を備えた場合の軒樋内吊金具装置の側面図であって、（ａ）が傾斜のある壁面に取り付けた場合を示す図、（ｂ）が傾斜のない壁面に取り付けた場合を示す図
【図７】ピニオンギヤの側面図
【図８】シャフトの側面図
【図９】第２実施形態のロック機構を備えた軒樋内吊金具装置の正面斜視図
【符号の説明】
【００８１】
１    固定部
１１    基台
１２    軸受け部
１３    凸部
１４    貫通穴
２    吊り金具
２１    後端
２２    凹部
２３    筒部
３    内吊金具本体
３２    前側軒樋吊り部
３３    後側軒樋吊り部
３４    ラック
３５    耳部
４    ブラケット
４１    前側ピニオギヤ
４２    シャフト
４３    ピン
４４    後側ピニオギヤ
４５    シャフト
４６    凸部
４７    凹部
５    ロック機構
５１    第１リンク
５２    第２リンク
５３    操作部
５４    長穴
５５    貫通孔
５６    連結軸
６    ロック機構
６１    回転板
６２    操作部
６３    前側端
６４    後側端
６５    切欠部
７    支持機構
８    移動機構
９    調整機構
９１    固定手段
１００  軒樋内吊金具装置
Ａ    壁面
Ｂ    軒樋
Ｂ１    小さい軒樋
Ｂ２    大きい軒樋
【図１】
2010150837.tif 000003
【図２】
2010150837.tif 000004
【図３】
2010150837.tif 000005
【図４】
2010150837.tif 000006
【図５】
2010150837.tif 000007
【図６】
2010150837.tif 000008
【図７】
2010150837.tif 000009
【図８】
2010150837.tif 000010
【図９】
2010150837.tif 000011